(57)【要約】【課題】不在着信または未読メール着信があった場合にこれらを表示させることができるとともに、未読メールの種類が事業者のシステム内のメールであるかシステム外のメールであるかを区別することができ、ユーザーに対し、より認識性を向上させた携帯通信端末を提供する。【解決手段】携帯電話端末の機能キー２０３のマルチファンクションキーの両側に、アクセスサインＬＥＤ２０６を配置し、不在着信または未読メール着信があった場合にこのアクセスサインＬＥＤ２０６を点滅または点灯させる。これにより、離れた場所から、または暗い場所でも、不在着信または未読メール着信があることの確認が可能となる。また、アクセスサインＬＥＤ２０６の点滅または点灯の動作パターンまたは色を変えることにより、未読メールの種類が事業者のシステム内のメールであるかシステム外のメールであるかを区別することができる。【選択図】図２
2006304359.tif 000002
【特許請求の範囲】
【請求項１】
複数種類のメールを受信する受信手段と、
前記メール受信に対してメールを開封していないことを示す未読メールが存在することを検出する検出手段と、
前記未読メールの存在が検出されることに基づいて、点滅又は点灯することにより、前記未読メールの存在を通知し、
前記未読メールの種類が事業者のシステム内のメールを受信した場合の前記点滅又は点灯の動作パターンと、事業者のシステム外のメールを受信した場合の前記点滅又は点灯の動作パターンとを変えることが可能な点灯部と、
を有することを特徴とする携帯通信端末。
【請求項２】
複数種類のメールを受信する受信手段と、
前記メール受信に対してメールを開封していないことを示す未読メールが存在することを検出する検出手段と、
前記未読メールの存在が検出されることに基づいて、点滅又は点灯することにより、前記未読メールの存在を通知し、
前記未読メールの種類が事業者のシステム内のメールを受信した場合の前記点滅又は点灯の色と、事業者のシステム外のメールを受信した場合の前記点滅又は点灯の色とを変えることが可能な点灯部と、
を有することを特徴とする携帯通信端末。
【発明の詳細な説明】
【技術分野】
【０００１】
本発明は、携帯通信端末に関するものである。
【背景技術】
【０００２】
図５は、従来の携帯電話端末の筐体上の構成を示すもので、筐体の上端にアンテナ５０１を有し、筐体正面の上部にＬＣＤ（液晶表示器）５０２、中央部に機能キー５０３、そして下部に番号キー５０４が配置され、ＬＣＤ（液晶表示器）５０２の上方には着信／充電ＬＥＤ５０５が配置されている。
【０００３】
図６を参照して、従来の携帯電話端末における不在着信時及び未読メール着信時の処理例について説明すると、携帯電話端末に音声不在着信や未読メール着信があった場合（６０１）、着信／充電ＬＥＤ５０５を点滅（又は点灯）させ、ＬＣＤ（液晶表示器）５０２上に「着信」、「メール受信」等を表示させる（６０２）。その後相手側が通信路を切断（６０３）すると着信／充電ＬＥＤ５０５は消灯し、ＬＣＤ（液晶表示器）５０２上に、「着信あり」、「メール受信あり」等を表示させる（６０４）。ユーザーが内容確認を行うと（６０５）、ＬＣＤ（液晶表示器）５０２上の表示が消える。
【０００４】
このように、従来の携帯電話端末では、音声着信時やメール着信時に着信音（又はバイブレータ）やメール着信音〈又はバイブレータ〉等と連動して筐体上部に配置された着信／充電ＬＥＤ５０５が点滅（又は点灯）して着信や受信のあったことを通知できるが、その後は消えてしまいＬＣＤ（液晶表示器）５０２の画面表示上に「着信あり」や「メール受信あり」等を表示したり、又は着信履歴を確認したり未読メールを確認するまで音声着信があったことやメールが受信されたことを示すマークとしての音声着信ピクト又はメール受信ピクトを表示していた。
【０００５】
この従来の方法では、着信後に着信履歴を確認する場合には、画面表示上の「着信あり」や「メール受信あり」等の表示、又は音声着信ピクト又はメール受信ピクトを確認するしかなく、離れた場所からや暗い場所での確認は難しい、又は不在着信（未確認音声着信）と未読メール（未確認メール着信）の違いがわからない等の問題が生じる。
【０００６】
更に、筐体上部に配置された着信／充電ＬＥＤ５０５は、携帯電話端末の電池の充電中は赤色で点灯、満充電になると緑色で点灯させて充電状態を通知することに利用されていた。そこで、充電中は上述のような不在着信やメール受信あり等の状態を着信／充電ＬＥＤ５０５で通知しようとしても通知することができないという問題が生じる。
【発明の開示】
【発明が解決しようとする課題】
【０００７】
上述のごとく、上記装置では、ユーザーは不在（音声）着信や未読メール着信があった場合に未確認着信履歴の有無や、未読メールの有無は、ＬＣＤ（液晶表示器）５０２の画面表示上の「着信あり」や「メール受信あり」等の表示をユーザーが見るしか確認出来ないという問題点があった。
【０００８】
又、音声着信時やメール着信時には着信／充電ＬＥＤ５０５の点滅（又は点灯）により判るが、その後はこの着信／充電ＬＥＤ５０５は消えてしまう為、これらの不在（音声）着信や未読メール着信を離れた所からや、暗い所では確認できないという問題点があった。
【０００９】
更に、不在着信（未確認音声着信）と未読メール（未確認メール着信）の違いがわからないという問題点があった。
【００１０】
更にまた、携帯電話端末の電池の充電中は、着信／充電ＬＥＤ５０５が充電状態を表示することとなるため、音声着信やメール着信等があってもこれらを確認できないという問題点があった。
【００１１】
そこで本発明はこれらの問題点を除去し、不在着信又は未読メール着信があった場合にこれらを表示させることができるとともに、未読メールの種類が事業者のシステム内のメールであるかシステム外のメールであるかを区別することができ、ユーザーに対し、より認識性を向上させた携帯通信端末を提供することを目的とする。
【課題を解決するための手段】
【００１２】
本発明に係る携帯電話端末は、複数種類のメールを受信する受信手段と、前記メール受信に対してメールを開封していないことを示す未読メールが存在することを検出する検出手段と、前記未読メールの存在が検出されることに基づいて、点滅又は点灯することにより、前記未読メールの存在を通知し、前記未読メールの種類が事業者のシステム内のメールを受信した場合の前記点滅又は点灯の動作パターンと、事業者のシステム外のメールを受信した場合の前記点滅又は点灯の動作パターンとを変えることが可能な点灯部とを有することを特徴とする。
【００１３】
また、本発明に係る携帯電話端末は、複数種類のメールを受信する受信手段と、前記メール受信に対してメールを開封していないことを示す未読メールが存在することを検出する検出手段と、前記未読メールの存在が検出されることに基づいて、点滅又は点灯することにより、前記未読メールの存在を通知し、前記未読メールの種類が事業者のシステム内のメールを受信した場合の前記点滅又は点灯の色と、事業者のシステム外のメールを受信した場合の前記点滅又は点灯の色とを変えることが可能な点灯部とを有することを特徴とする。
【発明の効果】
【００１４】
本発明の携帯電話端末によれば、不在着信またはメール着信があったことを通知する点灯部を設けることにより、不在着信時または未読メール受信時に、各々の着信後において離れた場所からや暗い場所での確認も可能となる。更に、点灯部の点灯又は点滅の動作パターンまたは色を変えることにより、未読メールの種類が事業者のシステム内のメールであるかシステム外のメールであるかを区別することができる。
【発明を実施するための最良の形態】
【００１５】
以下、図面を参照して本発明の実施形態について詳細に説明する。なお、以下の図において、同符号は同一部分または対応部分を示す。
【００１６】
図１は、本発明の一実施形態としての携帯電話端末の構成を示すブロック図である。同図において、マイク１０１から出力された送話音声信号は符号化部（ＣＯＤ）１０２にてディジタル化された後、圧縮される。
【００１７】
圧縮された信号は、変復調部１１０のディジタル変調部（ｄｉｇｉｔａｌＭＯＤ）１１１でディジタル変調される。変調された信号は、無線部１２０のシンセサイザ（ＳＹＮ）１２１から出力されるローカル信号により無線送信部（ＴＸ）１２２で高周波の信号に変換されたのち、所定の電力レベルに上げられて共用器（ＤＵＰ）１３１にてアンテナ２０１にのみ供給され、アンテナ２０１経由で無線高周波信号として送信される。
【００１８】
一方、アンテナ２０１で受信される基地局からの無線高周波信号は、共用器（ＤＵＰ）１３１にて無線部１２０の無線受信部（ＲＸ）１２３のみに供給される。無線受信部（ＲＸ）１２３では、受信された高周波信号が増幅された後に、シンセサイザ（ＳＹＮ）１２１からのローカル信号によりベースバンド（低周波帯）に変換される。この変換された信号は変復調部１１０のディジタル復調部（ｄｉｇｉｔａｌＤＥＭＯＤ）１１３に入力されてディジタル復調される。
【００１９】
ディジタル復調された信号は、デコーダ（ＤＥＣＯＤ）１０３で音声復号されて圧縮を解かれたのち、アナログ信号に変換される。このアナログ信号はスピーカ１０４から出力される。
【００２０】
なお、制御部１４０には、ＬＣＤ（液晶表示器）２０２、ＲＡＭ１４１、キー（ＫＥＹ）２１０、着信／充電ＬＥＤ２０５、及びアクセスサインＬＥＤ２０６が接続されている。キー２１０は機能キー（後述する図２の機能キー２０３）及び番号キー（後述する図２の番号キー２０４）からなり、ＬＣＤ（液晶表示器）２０２、キー２１０は、音声通話のための入力、表示の他に、文字入力などにも使用される。
【００２１】
図２は、携帯電話端末の筐体上の構成を示すもので、筐体の上端にアンテナ２０１を有し、筐体正面の上部にＬＣＤ（液晶表示器）２０２、中央部に機能キー２０３、そして下部に番号キー２０４が配置されている。ＬＣＤ（液晶表示器）２０２の上方には着信／充電ＬＥＤ２０５が配置され、また機能キー２０３の中央にあるマルチファンクションキー（上下左右のマルチキー）の両側にはアクセスサインＬＥＤ２０６が配置されている。このアクセスサインＬＥＤ２０６は、不在着信またはメール着信があったことを通知する為の点灯装置で、マルチファンクションキーの両側に２個配置しているが、いずれか一方のみ配置することとしてもよい。
【００２２】
図３を参照して、この携帯電話端末における不在着信時及び未読メール着信時の処理について説明する。
【００２３】
図３に示すように、携帯電話端末に音声不在着信や未読メール着信があった時（３０１）、着信／充電ＬＥＤ２０５が点滅し、ＬＣＤ（液晶表示器）２０２上に表示される（３０５）とともに、アクセスサインＬＥＤ２０６が点滅又は点灯する（３０２）。
【００２４】
その後、相手側が通信路を切断（３０３）すると、着信／充電ＬＥＤ２０５は消灯するが、ＬＣＤ（液晶表示器）２０２上に「着信あり」、「メール受信あり」の表示が為される（３０６）とともに、アクセスサインＬＥＤ２０６が点滅又は点灯を継続し、未確認情報を通知し続ける（３０４）。
【００２５】
ユーザーが、キーを操作し、内容確認を行うことにより（３０７）、ＬＣＤ（液晶表示器）２０２上の表示が消えるとともに、アクセスサインＬＥＤ２０６の点滅又は点灯の動作を停止する（３０８）。
【００２６】
以上のように、ユーザーは視覚情報として、ＬＣＤ（液晶表示器）２０２上の表示（３０５、３０６）から様々な情報を入手し、着信／充電ＬＥＤ２０５の点滅（３０５）やアクセスサインＬＥＤ２０６の点滅又は点灯（３０２、３０４）等により音声不在着信や未読メール着信があったことの通知を得ることができる。特に、携帯電話端末に音声不在着信や未読メール着信があった場合、ユーザーが内容確認を行うまでの間、アクセスサインＬＥＤ２０６が点滅又は点灯する（３０２、３０４）ことで、未確認情報があることをユーザーに通知し続ける。これにより、端末から離れた場所や、暗い場所でも未確認情報があることを随時（適宜）知ることが出来る。またアクセスサインＬＥＤ２０６がＬＣＤ（液晶表示器）２０２と番号キー２０４との間、即ち筐体のほぼ中央の位置に配置されていることにより、点滅または点灯状態の認識度を上げることができる。
【００２７】
更に、不在着信またはメール着信があったことを通知する為の点灯装置としてアクセスサインＬＥＤ２０６を配置しているので、携帯電話端末の電池の充電中で着信／充電ＬＥＤ５０５が充電状態を表示しているときに、音声不在着信やメール着信等があった場合でも、アクセスサインＬＥＤ２０６により、これらを確認することができる。
【００２８】
なお、上述の説明では、音声不在着信や未読メール着信があった（３０１）後、相手切断（３０３）までの間に、着信／充電ＬＥＤ２０５が点滅し、ＬＣＤ（液晶表示器）２０２上に表示される（３０５）とともに、アクセスサインＬＥＤ２０６が点滅又は点灯する（３０２）こととしたが、この間は、アクセスサインＬＥＤ２０６の点滅又は点灯の動作（３０２）は行わず、着信／充電ＬＥＤ２０５の点滅及びＬＣＤ（液晶表示器）２０２上の表示動作（３０５）のみを行うこととしても良い。
【００２９】
図４は、アクセスサインＬＥＤ２０６の点滅又は点灯の動作例である。同図（ａ）は、１．２８秒間隔で約１０ｍｓ点灯させることを繰り返すようにして、点滅させることとしている。また、同図（ｂ）は、１秒間隔で約３０ｍｓ点灯させることを繰り返すようにして、点滅させることとしている。
【００３０】
このように、動作パターン（点滅又は点灯パターン）にバリエーションを設けることにより、着信種別の区別も可能となり応用範囲が広がる。例えば、受信したメールの種類に応じて動作パターンを変えることができる。例えば、この携帯電話端末が加入している事業者のシステム内のメールを受信した場合は図４（ａ）のような動作パターンで点滅させ、システム外からのメールを受信した場合は図４（ｂ）のような動作パターンで点滅させることにより、両者を区別することができる。また、動作パターンのみならず、アクセスサインＬＥＤ２０６の点滅又は点灯の色を変えることにより区別することもできる。例えば、音声不在着信の場合は緑色で点滅又は点灯させ、未読メール着信は赤色で点滅又は点灯させることにより、両者を区別することができる。
【図面の簡単な説明】
【００３１】
【図１】本発明の一実施形態に係る携帯電話端末の構成を示すブロック図。
【図２】本発明の一実施形態に係る携帯電話端末の筐体上の構成を示す正面図。
【図３】本発明の一実施形態の動作を説明するためのフローチャート。
【図４】本発明の一実施形態におけるアクセスサインＬＥＤの動作例を示すタイムチャート。
【図５】従来の携帯電話端末の筐体上の構成を示す正面図。
【図６】従来の携帯電話端末の動作を説明するためのフローチャート。
【符号の説明】
【００３２】
１０１…マイク
１０２…符号化部（ＣＯＤ）
１０３…デコーダ（ＤＥＣＯＤ）
１０４…スピーカ
１１０…変復調部
１１１…ディジタル変調部（ｄｉｇｉｔａｌＭＯＤ）
１１３…ディジタル復調部（ｄｉｇｉｔａｌＤＥＭＯＤ）
１２０…無線部
１２１…シンセサイザ（ＳＹＮ）
１２２…無線送信部（ＴＸ）
１２３…無線受信部（ＲＸ）
１３１…共用器（ＤＵＰ）
１４０…制御部
１４１…ＲＡＭ
２０１…アンテナ
２０２…ＬＣＤ（液晶表示器）
２０３…機能キー
２０４…番号キー
２０５…着信／充電ＬＥＤ
２０６…アクセスサインＬＥＤ
２１０…キー（ＫＥＹ）
【図１】
2006304359.tif 000003
【図２】
2006304359.tif 000004
【図３】
2006304359.tif 000005
【図４】
2006304359.tif 000006
【図５】
2006304359.tif 000007
【図６】
2006304359.tif 000008